(57)【特許請求の範囲】
【請求項１】
電源に電源入力部を介して接続する電源基板と、前記電源入力部に接続されて該電源入力部を介して電圧が供給される電気部品を備えた遊技機において、
前記電源入力部と前記電気部品との間に保護回路が設けられ、
前記保護回路は、前記電源入力部と前記電気部品との間を導通状態および非導通状態に切り替える第１保護手段および第２保護手段を備え、
前記保護回路は、該保護回路に前記電源入力部を介して印加される電圧が第１閾値電圧未満の場合には前記第１保護手段により前記電源入力部と前記電気部品との間を非導通状態とし、該保護回路に前記電源入力部を介して印加される電圧が前記第１閾値電圧以上で前記電気部品の定格電圧以下の第２閾値電圧未満の場合には前記第１保護手段により前記電源入力部と前記電気部品との間を導通状態とし、該保護回路に前記電源入力部を介して印加される電圧が前記第２閾値電圧以上の場合には前記第２保護手段により前記電源入力部と前記電気部品との間を非導通状態とするよう構成され、
前記第２閾値電圧は、前記電気部品の定格電圧より低く、かつ該電気部品が故障しない電圧に設定され、
前記電源入力部と前記保護回路との間に接続されて、前記電気部品の定格電圧より高い第２の定格電圧が印加された場合に溶断するヒューズを備えた
ことを特徴とする遊技機。
【請求項２】
電源に電源入力部を介して接続する電源基板と、前記電源入力部に接続されて該電源入力部を介して電圧が供給される電気部品を備えた遊技機において、
前記電源入力部と前記電気部品との間に保護回路が設けられ、
前記保護回路は、前記電源入力部と前記電気部品との間を導通状態および非導通状態に切り替える第１保護手段および第２保護手段を備え、
前記保護回路は、該保護回路に前記電源入力部を介して印加される電圧が第１閾値電圧未満の場合には前記第１保護手段により前記電源入力部と前記電気部品との間を非導通状態とし、該保護回路に前記電源入力部を介して印加される電圧が前記第１閾値電圧以上で前記電気部品の定格電圧以下の第２閾値電圧未満の場合には前記第１保護手段により前記電源入力部と前記電気部品との間を導通状態とし、該保護回路に前記電源入力部を介して印加される電圧が前記第２閾値電圧以上の場合には前記第２保護手段により前記電源入力部と前記電気部品との間を非導通状態とするよう構成され、
前記第２閾値電圧は、前記電気部品の定格電圧より低く、かつ該電気部品が故障しない電圧に設定され、
前記電源入力部と前記保護回路との間に接続されて、前記電気部品の定格電圧より高い第２の定格電圧が印加された場合に溶断するヒューズを備えると共に、
前記第２閾値電圧より高くて前記第２の定格電圧より低い特定電圧が、前記保護回路に印加された場合に、報知音を出力して該保護回路に特定電圧が印加されたことを報知する音発生手段を備えた
ことを特徴とする遊技機。
【発明の詳細な説明】
【技術分野】
【０００１】
本発明は、電源に接続する電源基板で生成した電圧を電気部品に供給するよう構成された遊技機に関するものである。
【背景技術】
【０００２】
例えば、遊技機の代表例の一つであるパチンコ機は、機内にセットされる遊技盤の盤面に遊技球としてのパチンコ球が打出される遊技領域が画成されている。遊技領域の略中央位置には、センター役物とも称される枠状装飾部材が配設されており、この枠状装飾部材の開口部を介して複数の図柄を変動表示して図柄変動演出を行う液晶式やドラム式等の図柄表示装置(図柄表示手段)を後方から臨ませると共に、該遊技盤における枠状装飾部材の下方位置に、パチンコ球の入賞により図柄表示装置での変動を開始させる始動入賞装置(始動入賞手段)を配設するよう構成したものが多数提案されている。前記遊技領域を流下するパチンコ球が、始動入賞装置に入賞することで、図柄表示装置での図柄変動演出を開始させると共に、所定数のパチンコ球を賞球として払出すよう構成されている。そして、図柄変動演出の結果、図柄表示装置に所定の組合わせ(例えば同一図柄の三つ揃い等)で図柄が停止すると、遊技者に有利な当り遊技が発生し、特別入賞装置の特別入賞口が開放して賞球を獲得し得る機会が付与される。
【０００３】
この種の遊技機では、外部電源に接続された電源基板で、遊技機が備える制御基板や作動装置等の各種の電気部品に対応する作動電圧を生成し、該作動電圧を電気部品に供給するよう構成されている(例えば、特許文献１参照)。
【先行技術文献】
【特許文献】
【０００４】
【特許文献１】特開２００１−２５９１３１号公報
【発明の概要】
【発明が解決しようとする課題】
【０００５】
遊技機が備える電気部品の定格電圧より高い、例えば交流１００Ｖの外部電源に遊技機をユーザーが誤って接続してしまった場合に、各種の電気部品に異常電圧が供給されて破損する問題を招く。そこで、従来は、電源基板にヒューズを設け、交流１００Ｖの外部電源に接続した場合にヒューズが溶断することで電気部品に異常電圧が供給されるのを防止することが行われている。しかし、ヒューズが溶断した場合には、新しいヒューズに交換する必要があり、ヒューズの交換作業を要すると共にコストが嵩む問題が生じている。
【０００６】
そこで本発明は、従来の技術に係る遊技機に内在する前記課題に鑑み、これを好適に解決するべく提案されたものであって、定格電圧より高い電源に接続した場合に電気部品に異常電圧が供給されるのを防止する構成を、低コストで実施可能とした遊技機を提供することを目的とする。
【課題を解決するための手段】
【０００７】
前記課題を解決し、所期の目的を達成するため、本願の請求項１に係る発明は、
電源に電源入力部(78)を介して接続する電源基板(77)と、前記電源入力部(78)に接続されて該電源入力部(78)を介して電圧が供給される電気部品(60,65,70,75)を備えた遊技機において、
前記電源入力部(78)と前記電気部品(60,65,70,75)との間に保護回路(84)が設けられ、
前記保護回路(84)は、前記電源入力部(78)と前記電気部品(60,65,70,75)との間を導通状態および非導通状態に切り替える第１保護手段(81,82,85,EFT3,EFT4)および第２保護手段(81,82,86,EFT4,EFT6)を備え、
前記保護回路(84)は、該保護回路(84)に前記電源入力部(78)を介して印加される電圧が第１閾値電圧未満の場合には前記第１保護手段(81,82,85,EFT3,EFT4)により前記電源入力部(78)と前記電気部品(60,65,70,75)との間を非導通状態とし、該保護回路(84)に前記電源入力部(78)を介して印加される電圧が前記第１閾値電圧以上で前記電気部品(60,65,70,75)の定格電圧以下の第２閾値電圧未満の場合には前記第１保護手段(81,82,85,EFT3,EFT4)により前記電源入力部(78)と前記電気部品(60,65,70,75)との間を導通状態とし、該保護回路(84)に前記電源入力部(78)を介して印加される電圧が前記第２閾値電圧以上の場合には前記第２保護手段(81,82,86,EFT4,EFT6)により前記電源入力部(78)と前記電気部品(60,65,70,75)との間を非導通状態とするよう構成され、
前記第２閾値電圧は、前記電気部品(60,65,70,75)の定格電圧より低く、かつ該電気部品(60,65,70,75)が故障しない電圧に設定され、
前記電源入力部(78)と前記保護回路(84)との間に接続されて、前記電気部品(60,65,70,75)の定格電圧より高い第２の定格電圧が印加された場合に溶断するヒューズ(F)を備えたことを要旨とする。
【０００８】
このように、保護回路に印加される電圧が第２閾値電圧以上となった場合には電源入力部と電気部品との間を非導通状態とするので、電気部品の定格電圧より高い電源に電源基板を接続してしまった場合においても、電気部品に異常電圧が供給されて破損するのを防止することができる。また、保護回路に印加される電圧が第１閾値電圧と第２閾値電圧との間であれば電源入力部と電気部品との間を導通状態とするので、ヒューズの場合のような交換作業を不要とすると共にコストを抑えることができる。更に、保護回路に印加される電圧が第１閾値電圧未満の場合は電源入力部と電気部品との間を非導通状態とするので、電源基板に印加される電圧が電気部品を正常に動作させる正常電圧になってから該電源基板から電圧を電気部品に供給することができるので、電気部品の正常な動作を保証することができる。
また、保護手段に異常が発生した場合においても、ヒューズによって異常電圧が供給されるのを防ぐことができ、安全対策に優れる。
【００１０】
前記課題を解決し、所期の目的を達成するため、本願の請求項２に係る発明は、
電源に電源入力部(78)を介して接続する電源基板(77)と、前記電源入力部(78)に接続されて該電源入力部(78)を介して電圧が供給される電気部品(60,65,70,75)を備えた遊技機において、
前記電源入力部(78)と前記電気部品(60,65,70,75)との間に保護回路(84)が設けられ、
前記保護回路(84)は、前記電源入力部(78)と前記電気部品(60,65,70,75)との間を導通状態および非導通状態に切り替える第１保護手段(81,82,85,EFT3,EFT4)および第２保護手段(81,82,86,EFT4,EFT6)を備え、
前記保護回路(84)は、該保護回路(84)に前記電源入力部(78)を介して印加される電圧が第１閾値電圧未満の場合には前記第１保護手段(81,82,85,EFT3,EFT4)により前記電源入力部(78)と前記電気部品(60,65,70,75)との間を非導通状態とし、該保護回路(84)に前記電源入力部(78)を介して印加される電圧が前記第１閾値電圧以上で前記電気部品(60,65,70,75)の定格電圧以下の第２閾値電圧未満の場合には前記第１保護手段(81,82,85,EFT3,EFT4)により前記電源入力部(78)と前記電気部品(60,65,70,75)との間を導通状態とし、該保護回路(84)に前記電源入力部(78)を介して印加される電圧が前記第２閾値電圧以上の場合には前記第２保護手段(81,82,86,EFT4,EFT6)により前記電源入力部(78)と前記電気部品(60,65,70,75)との間を非導通状態とするよう構成され、
前記第２閾値電圧は、前記電気部品(60,65,70,75)の定格電圧より低く、かつ該電気部品(60,65,70,75)が故障しない電圧に設定され、
前記電源入力部(78)と前記保護回路(84)との間に接続されて、前記電気部品(60,65,70,75)の定格電圧より高い第２の定格電圧が印加された場合に溶断するヒューズ(F)を備えると共に、
前記第２閾値電圧より高くて前記第２の定格電圧より低い特定電圧が、前記保護回路(84)に印加された場合に、報知音を出力して該保護回路(84)に特定電圧が印加されたことを報知する音発生手段を備えたことを要旨とする。
このように、保護回路に印加される電圧が第２閾値電圧以上となった場合には電源入力部と電気部品との間を非導通状態とするので、電気部品の定格電圧より高い電源に電源基板を接続してしまった場合においても、電気部品に異常電圧が供給されて破損するのを防止することができる。また、保護回路に印加される電圧が第１閾値電圧と第２閾値電圧との間であれば電源入力部と電気部品との間を導通状態とするので、ヒューズの場合のような交換作業を不要とすると共にコストを抑えることができる。更に、保護回路に印加される電圧が第１閾値電圧未満の場合は電源入力部と電気部品との間を非導通状態とするので、電源基板に印加される電圧が電気部品を正常に動作させる正常電圧になってから該電源基板から電圧を電気部品に供給することができるので、電気部品の正常な動作を保証することができる。
また、保護手段に異常が発生した場合においても、ヒューズによって異常電圧が供給されるのを防ぐことができ、安全対策に優れる。
更に、第２閾値電圧より高く、第２の定格電圧より低い特定電圧が保護回路に印加されたことを音発生手段で報知するので、異常事態に早期に対応できる。
【発明の効果】
【００１１】
本発明に係る遊技機によれば、定格電圧より高い電源に接続した場合に電気部品に異常電圧が供給されるのを防止する構成を、低コストで実施することができる。
【図面の簡単な説明】
【００１２】
【図１】本発明の好適な実施例１に係るパチンコ機を示す正面図である。
【図２】実施例１に係る遊技盤を示す正面図である。
【図３】実施例１に係るパチンコ機の制御構成を示すブロック図である。
【図４】実施例１に係る過電圧保護回路を示す回路図である。
【図５】実施例２に係る過電圧保護回路を示す回路図である。
【図６】別実施例に係る過電圧保護回路を示す回路図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機を例にして説明する。また、以下の説明において、「前」、「後」、「左」、「右」とは、特に断りのない限り、図１に示すようにパチンコ機を前側(遊技者側)から見た状態で指称する。
【実施例１】
【００１４】
(パチンコ機１０について)
実施例１に係るパチンコ機１０は、図１に示すように、矩形枠状に形成されて遊技店の図示しない設置枠台に固定される固定枠としての外枠１１の開口前面側に、後述する遊技盤２０(図２参照)を着脱可能に保持(支持)する本体枠としての中枠１２が開閉および着脱可能に組み付けられると共に、遊技盤２０の後側に、図柄を変動表示する演出を実行可能な演出実行手段としての図柄表示装置１７が着脱し得るよう配設されている。また、中枠１２の前面側には、遊技盤２０を透視可能に保護する透明部材１３ｂを窓口１３ａに備えた装飾枠としての前枠１３が開閉可能に組み付けられると共に、該前枠１３の下方にパチンコ球を貯留する下球受け皿１５が開閉可能に組み付けられる。なお、実施例１では、前枠１３の下部位置に、パチンコ球を貯留する上球受け皿１４が一体的に組み付けられており、前枠１３の開閉に合わせて上球受け皿１４も一体的に開閉するよう構成される。
【００１５】
前記図柄表示装置１７は、後述する始動入賞口３０,３１へのパチンコ球の入賞を契機として演出用の図柄(飾図という場合もある)を表示部１７ａに変動表示させる図柄変動演出を行うよう構成される。また図柄表示装置１７では、図柄変動に関連して実行される各種の表示演出を表示部１７ａに表示し得るようになっている。実施例１では、前記図柄表示装置１７として、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１６】
図１に示す如く、前記前枠１３には、窓口１３ａを囲繞するよう演出光を出力可能なランプ装置(発光手段)１８が配設されると共に、前枠１３の上部位置に、音声や効果音等の演出音を出力可能なスピーカ(音出力手段)１９が配設されている。そして、ランプ装置１８に設けられたＬＥＤ等の発光体(図示せず)を点灯・点滅したり、前記スピーカ１９から適宜の演出音を出力することで、前記図柄表示装置１７で行われる各種の表示演出(図柄変動演出等)に合わせて光による演出や音による演出を行い得るよう構成されている。すなわち、前記ランプ装置１８やスピーカ１９は、図柄表示装置１７と同様に演出実行手段としての機能を有している。また、前記上球受け皿１４は、前記前枠１３と別体に形成して中枠１２に対して開閉可能に組み付けるようにしてもよい。
【００１７】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された後述する第１球流下経路をパチンコ球が流下する所謂「左打ち」と、該遊技盤２０に形成された後述する第２球流下経路をパチンコ球が流下する所謂「右打ち」とを打ち分け得るようになっている。
【００１８】
前記パチンコ機１０の後側には、球払出装置７４を駆動制御する払出制御基板(払出制御手段)７５(図３参照)、前記打球発射装置を駆動制御する発射制御基板(図示せず)等が配設されている。前記払出制御基板７５は、前記パチンコ機１０の後側に配設されるメイン制御基板６０に配線接続されており、該メイン制御基板６０から出力された制御信号が払出制御基板７５に入力され、該制御信号に基づいて払出制御基板７５が球払出装置７４を制御することで、所要数のパチンコ球を賞球として払い出すよう構成される。
【００１９】
(遊技盤２０について)
前記遊技盤２０は、図２に示すように、ベニヤ材や合成樹脂材により形成された略矩形状の板部材であって、遊技盤２０の後面側に、前記図柄表示装置１７が着脱可能に組み付けられている。前記遊技盤２０の前面には、略円形状に湾曲形成した案内レール２１が配設されており、該案内レール２１により画成される略円形の遊技領域２０ａに、前記打球発射装置から発射されたパチンコ球が打ち出されることで遊技が行われるようになっている。また、前記遊技盤２０には、前後に貫通する装着口(図示せず)が適宜位置に開設されており、各装着口に対して各種の遊技盤設置部品(具体的には後述する枠状装飾体２５、特別入賞装置４０、ゲート部材４８、普通入賞装置４５等)が前側から取り付けられると共に、遊技領域２０ａの最下部位置には、該遊技領域２０ａに打ち出されたパチンコ球を排出するアウト口２２が開設されている。なお、前記装着口の形成数は、遊技盤２０に取り付けられる各種遊技盤設置部品の個数や配設位置等により必要に応じて適宜変更される。
【００２０】
ここで、実施例１の前記遊技盤２０には、図２に示すように、前記案内レール２１で囲まれた遊技領域２０ａの略中央で開口する装着口に、前後に開口する表示窓口２５ａが形成されたセンター役とも称される枠状装飾体２５が取り付けられ、該枠状装飾体２５の表示窓口２５ａを介して図柄表示装置１７の表示部１７ａが遊技盤２０の前面側に臨むよう構成されている。また、前記遊技盤２０における枠状装飾体２５の右側下方位置に開設された装着口に、遊技領域２０ａを流下するパチンコ球が入賞可能な特別入賞口(特別入賞手段)４１を有する特別入賞装置(入賞手段)４０が取り付けられている。なお、前記遊技盤２０には、前記遊技領域２０ａ内に多数の遊技釘２３が設けられると共に、遊技領域２０ａを流下するパチンコ球の接触に伴って回転する回転案内部材２４が回転自在に支持されており、遊技釘２３や回転案内部材２４との接触によりパチンコ球の流下方向が不規則に変化するよう構成されている。前記回転案内部材２４は、回転中心から放射状に複数の接触片を有する所謂「風車」とも称される部材であって、該接触片に対するパチンコ球の接触に伴って回転案内部材２４が回転することでパチンコ球を弾くように左右方向へ放出するようになっている。実施例１では、前記枠状装飾体２５の左側方(すなわち第１球流下経路)に回転案内部材２４を配設してある。
【００２１】
ここで、前記枠状装飾体２５は、その全周に亘って前記遊技盤２０の前面から前方へ突出するよう形成されて、前記遊技領域２０ａと表示窓口２５ａとを区画するよう構成されており、遊技領域２０ａを流下するパチンコ球が枠状装飾体２５の表示窓口２５ａ内側に進入しないようになっている。すなわち、実施例１の遊技領域２０ａは、前記枠状装飾体２５の左側に画成される第１球流下経路と、当該枠状装飾体２５の右側に画成される第２球流下経路とに区画されて、遊技盤２０の遊技領域２０ａに打ち出されるパチンコ球の位置や発射強度に応じて、該第１球流下経路または第２球流下経路をパチンコ球が流下するようになっている。
【００２２】
前記遊技盤２０には、遊技領域２０ａを流下するパチンコ球が入賞可能な入賞口３０,３１,４１,４６が適宜の位置に設けられており、各入賞口３０,３１,４１,４６へのパチンコ球の入賞(具体的には、後述する各入賞検出センサ３４,３５,４４,４７の検出)を賞球の払出条件として、各入賞口毎に定めた払い出し個数の賞球が払い出されるよう構成されている。実施例１のパチンコ機１０では、パチンコ球の入賞を契機として賞球の払出条件が成立すると共に図柄変動演出の開始条件が成立する始動入賞口(始動入賞手段)３０,３１と、当り遊技(大当り遊技)の発生を契機としてパチンコ球の入賞が可能となると共にパチンコ球の入賞を契機として賞球の払出条件が成立する特別入賞口(特別入賞手段)４１と、パチンコ球の入賞を契機として賞球の払出条件が成立する普通入賞口４６とが設けられている。具体的に、前記始動入賞口３０,３１は、前記第１球流下経路および第２球流下経路の夫々に設けられ、前記特別入賞口４１は、前記遊技領域２０ａの第２球流下経路に設けられると共に、前記普通入賞口４６は、遊技領域２０ａの第１球流下経路および第２球流下経路の夫々に設けられている(図２参照)。
【００２３】
(第１始動入賞口３０および第２始動入賞口３１について)
前記枠状装飾体２５の下方で遊技盤２０の左右方向の中央位置に、第１始動入賞口(始動入賞手段)３０が設けられると共に、該第１始動入賞口３０より右側位置に、第２始動入賞口(始動入賞手段)３１が設けられている。第１始動入賞口３０は、遊技領域２０ａ内で常に上方へ開口する常時開放型の入賞口とされ、枠状装飾体２５の下側の遊技領域２０ａ(第１球流下経路)を流下するパチンコ球が入賞可能に構成される。前記第２始動入賞口３１は、図２に示す如く、遊技盤２０における枠状装飾体２５の下方右側に配設された始動入賞装置２９に設けられて該枠状装飾体２５の右側に画成される遊技領域２０ａ(第２球流下経路)内で開口している。また始動入賞装置２９に、第２始動入賞口３１を開閉する始動用開閉部材(開閉部材)３３が設けられており、駆動手段としての始動入賞ソレノイド３２(図３参照)の駆動に伴って始動用開閉部材３３が第２始動入賞口３１を閉鎖する閉鎖位置と開放する開放位置に変位するよう構成されている。
【００２４】
また、前記第１および第２始動入賞口３０,３１は、該第１および第２始動入賞口３０,３１に入賞したパチンコ球を検出する入賞検出手段としての始動入賞検出センサ３４,３５(図３参照)が設けられている。前記始動入賞検出センサ３４,３５は、パチンコ機１０の後側に配設されたメイン制御基板６０(図３参照)に配線接続されている。そして、始動入賞検出センサ３４,３５からの検出信号がメイン制御基板６０に入力されることを賞球の払出条件として、該メイン制御基板６０が賞球の払い出しを決定するようになっている。
【００２５】
また、始動入賞検出センサ３４,３５によるパチンコ球の検出(すなわち第１および第２始動入賞口３０,３１へのパチンコ球の入賞)を遊技の開始条件として、前記メイン制御基板６０が入賞情報(特図当り判定用乱数等の各種乱数情報)を取得して、この取得した情報に基づいて特図当り抽選(大当り判定)が行われるよう構成されている。そして、特図当り抽選の結果に基づいて前記図柄表示装置１７において図柄変動演出が実行され、該図柄変動演出の結果、該図柄表示装置１７に所定の大当り表示となる図柄組み合わせ(例えば同一飾図の３つ揃い等)で飾図が確定停止表示されることで、遊技者に有利な大当り遊技が付与され、大当り遊技の発生に伴って前記特別入賞口４１を所定の開放条件で開放する大当り遊技が行われて、遊技者が賞球を獲得し得る機会が与えられるよう構成されている。
【００２６】
ここで、実施例１では、前記始動入賞検出センサ３４,３５が始動入賞口３０,３１毎に設けられており、以下の説明では、第１始動入賞口３０に対応するセンサを第１始動入賞検出センサ３４と指称し、第２始動入賞口３１に対応するセンサを第２始動入賞検出センサ３５と指称するものとする。また、メイン制御基板６０は、第１始動入賞検出センサ３４または第２始動入賞検出センサ３５からの検出信号が入力されると、前記払出制御基板７５に制御信号を出力して、前記球払出装置７４に所定数の賞球を払い出させるよう構成される。なお、球払出装置７４から払い出される賞球数は、パチンコ球が入賞した始動口毎に予め設定されている。
【００２７】
(特別入賞装置４０について)
前記特別入賞装置４０は、図２に示すように、前記遊技盤２０における枠状装飾体２５の右下方位置の遊技領域２０ａに配置されている。この特別入賞装置４０は、遊技領域２０ａに開口する特別入賞手段としての特別入賞口４１を開閉自在に閉成する特別用開閉部材(開閉部材)４３を備えており、駆動手段としての特別入賞ソレノイド４２(図３参照)の駆動に伴って特別用開閉部材４３が閉鎖する閉鎖位置と開放する開放位置に変位するよう構成されている。また、前記特別入賞装置４０には、前記特別入賞口４１に入賞したパチンコ球を検出する特別入賞検出手段としての特別入賞検出センサ４４(図３参照)が設けられている。特別入賞検出センサ４４は、前記メイン制御基板６０に配線接続されており、特別入賞検出センサ４４がパチンコ球を検出すると、検出信号をメイン制御基板６０に出力し、該メイン制御基板６０は、特別入賞検出センサ４４からの球検出信号の入力を賞球の払出条件として前記払出制御基板７５に制御信号を出力して前記球払出装置７４に予め設定された数(実施例１では１５個)の賞球を払い出させるようになっている。ここで、前記特別入賞ソレノイド４２は、前記第１および第２始動入賞口３０,３１へのパチンコ球の入賞を契機として特別入賞口４１を開放する大当り遊技が付与される場合に、当りの種類に応じた所定の開閉条件に従ってメイン制御基板６０によって駆動制御される。
【００２８】
(普通入賞装置４５について)
前記普通入賞装置４５に設けられる普通入賞口４６は、図２に示すように、前記遊技盤２０の遊技領域２０ａ内で常に上方へ開口する常時開放タイプの入賞口とされており、該遊技領域２０ａを流下するパチンコ球が常時一定の確率で入賞し得るよう構成されている。また、前記普通入賞装置４５には、該普通入賞口４６に入賞したパチンコ球を検出する普通入賞検出手段としての普通入賞検出センサ４７(図３参照)が設けられている。
【００２９】
ここで、実施例１では、図２に示すように、前記遊技領域２０ａの第１球流下経路に、所定数(実施例１では３つ)の普通入賞口４６が設けられた普通入賞装置４５が配設されると共に、前記遊技領域２０ａの第２球流下経路に、所定数(実施例１では１つ)の普通入賞口４６が設けられた普通入賞装置４５が設けられている。また、普通入賞検出センサ４７が左右の普通入賞装置４５,４５毎に設けられており、各普通入賞検出センサ４７は、前記メイン制御基板６０に配線接続されており、普通入賞検出センサ４７からの検出信号がメイン制御基板６０に入力されることを賞球の払出条件として、該メイン制御基板６０が賞球の払い出しを決定するようになっている。
【００３０】
(ゲート部材４８について)
図２に示すように、前記枠状装飾体２５の右側には、遊技領域２０ａの第２球流下経路を流下するパチンコ球が通過可能なゲート部材４８が設けられている。前記ゲート部材４８にはゲートセンサ４９(図３参照)が配設されており、該ゲート部材４８を通過するパチンコ球をゲートセンサ４９で検出するよう構成されている。前記ゲートセンサ４９は、前記メイン制御基板６０に配線接続されており、該ゲートセンサ４９からメイン制御基板６０への球検出信号の入力(すなわちゲートセンサ４９のパチンコ球の検出(ゲート部材４８のパチンコ球の通過)に伴って各種通過検出情報(普図当り判定用乱数等の乱数情報)が取得され、この取得した情報に基づいて普図当り抽選(普図当り判定)が行われるよう構成されている。そして、この普図当り抽選の結果に応じて前記始動入賞ソレノイド３２が駆動制御されて始動用開閉部材３３が開閉動作するようになっている。
【００３１】
(パチンコ機の制御構成について)
次に、パチンコ機１０の制御構成について説明する。実施例１のパチンコ機１０には、図３に示す如く、パチンコ機１０を全体的に制御する制御手段としてのメイン制御基板(メイン制御手段)６０と、該メイン制御基板６０からの制御信号に基づいて各制御対象を制御する制御手段としてのサブ制御基板(サブ制御手段)６５,７０とが設けられている。すなわち、メイン制御基板６０では、パチンコ機１０に備えられた各種検出センサ(検出手段)からの検出信号に基づいて各種処理が実行され、その処理結果に応じた各種の制御信号(制御コマンド)がサブ制御基板６５,７０に出力されるようになっている。
【００３２】
また、実施例１のパチンコ機１０には、サブ制御基板として、遊技演出を全体的に制御する演出制御基板６５と、図柄表示装置１７での表示内容を制御する表示制御基板７０と、パチンコ機１０が備える各種発光演出手段(ランプ装置１８等)の発光制御を行うランプ制御基板７２と、パチンコ機１０が備えるスピーカ１９の音出力制御を行う音制御基板７３とを備えている。すなわち、メイン制御基板６０が出力した制御信号(制御コマンド)に基づいて、前記演出制御基板６５が表示制御基板７０、ランプ制御基板７２および音制御基板７３を制御するよう構成されており、パチンコ機１０で実行される各種遊技演出(図柄変動演出や発光演出、音声演出)を統括的にコントロールし得るようになっている。ここで、表示制御基板７０は、演出制御基板６５から出力された制御信号(制御コマンド)に基づいて、図柄表示装置１７に表示される図柄(飾図)や背景画像等の図柄変動演出(図柄組合せ演出)の表示内容を制御するよう構成される。また、ランプ制御基板７２は、演出制御基板６５から出力された制御信号(制御コマンド)に基づいて、パチンコ機１０が備える各種発光演出手段の点灯・消灯のタイミングや、発光強度等を制御するものである。そして、音制御基板７３は、演出制御基板６５から出力された制御信号(制御コマンド)に基づき、パチンコ機１０が備える各種スピーカ１９からの音声出力のタイミングや出力内容等を制御する。
【００３３】
(メイン制御基板６０について)
前記メイン制御基板６０には、制御処理を実行するメイン制御ＣＰＵ、該メイン制御ＣＰＵが実行する制御プログラムを記憶するメイン制御ＲＯＭ、当該メイン制御ＣＰＵの処理に必要なデータの書込み・読出しが可能なメイン制御ＲＡＭ等が備えられている。そして、前記第１始動入賞検出センサ３４、第２始動入賞検出センサ３５、特別入賞検出センサ４４、普通入賞検出センサ４７、ゲートセンサ４９が前記メイン制御基板６０に接続されている。また、メイン制御基板６０には、前記第２始動入賞口３１を開閉する始動用開閉部材３３に連繋する始動入賞ソレノイド３２および特別入賞口４１を開閉する特別用開閉部材４３に連繋する特別入賞ソレノイド４２が接続されており、該メイン制御基板６０での制御処理結果に基づいて各ソレノイド３２,４２を駆動させることで、対応する開閉部材３３,４３が開閉するようになっている。そして、メイン制御基板６０は、大当り遊技の種類に応じた開閉態様で特別開閉部材４３が開閉するよう前記特別入賞ソレノイド４２を駆動制御するよう構成されると共に、前記普図当り抽選に当選した場合には予め定められた開閉態様で始動用開閉部材３３が開閉するよう前記始動入賞ソレノイド３２を駆動制御するよう構成される。
【００３４】
前記メイン制御基板６０は、前記第１および第２始動入賞口３０,３１へパチンコ球が入賞したこと(より具体的には第１および第２始動入賞検出センサ３４,３５がパチンコ球を検出したこと)を契機として入賞情報としての各種乱数を取得するよう設定されている。そして、メイン制御基板６０は、取得した入賞情報に基づいて特図当り抽選(大当り判定)を行い、該特図当り抽選に当選した場合は、遊技者に与える価値が異なる複数種類の大当り遊技の中から１つの大当り遊技が決定され、その決定された大当り遊技が付与されるよう構成される。また、メイン制御基板６０は、前記ゲート部材４８をパチンコ球が通過したこと(より具体的にはゲートセンサ４９がパチンコ球を検出したこと)を契機として通過検出情報としての各種乱数を取得するよう設定されている。そして、メイン制御基板６０は、取得した入賞情報に基づいて普図当り抽選(普図当り判定)を行い、該普図当り抽選に当選した場合は、普図当り遊技を付与するよう構成される。
【００３５】
(演出制御基板について)
前記演出制御基板６５には、制御処理を実行する演出制御ＣＰＵ、該演出制御ＣＰＵが実行する制御プログラムを記憶する演出制御ＲＯＭ、当該演出制御ＣＰＵの処理に必要なデータの書込み・読出しが可能な演出制御ＲＡＭ等が備えられている。演出制御基板６５の演出制御ＲＯＭには、表示制御基板７０、ランプ制御基板７２および音制御基板７３を統括的に制御するための演出制御プログラムや図柄変動演出において実行する具体的な演出内容を特定する演出パターン等が記憶されている。
【００３６】
(表示制御基板７０について)
前記表示制御基板７０には、制御処理を実行する表示制御ＣＰＵ、該表示制御ＣＰＵが実行する制御プログラムを記憶する表示制御ＲＯＭ、当該表示制御ＣＰＵの処理に必要なデータの書込み・読出しが可能な表示制御ＲＡＭ等が備えられている。また、表示制御基板７０には、図柄表示装置１７が接続されている。表示制御基板７０の表示制御ＲＯＭには、図柄表示装置１７の表示内容を制御するための表示制御プログラムや各種の画像データ(図柄、各種背景画像、文字、キャラクタなどの画像データ)が記憶されている。
【００３７】
(払出制御基板７５について)
前記払出制御基板７５には、前記球払出装置７４が接続されている。また、払出制御基板７５には、外部端子板７６が接続されていると共に、該外部端子板７６に設けられた出力端子にホールコンピュータＨＣが接続されるようになっている。そして、メイン制御基板６０は、払出制御基板７５および外部端子板７６の出力端子を介してホールコンピュータＨＣに対して、パチンコ機１０の動作状態やエラー情報等の各種の遊技情報を出力可能に構成されている。
【００３８】
(電源基板７７について)
前記パチンコ機１０には、遊技場の外部電源(例えば、ＡＣ２４Ｖ)に差込みプラグ(図示せず)を介して接続されて、該外部電源から供給される電源電圧から各種の電気部品に必要となる電圧を生成して、パチンコ機１０を構成する各種電気部品に供給する電源基板７７が配設されている。この電源基板７７には、図３に示す如く、パチンコ機１０に供給される電源のＯＮ−ＯＦＦを切り替える電源スイッチ７８が設けられている。また、電源基板７７には、遊技場の外部電源(ＡＣ２４Ｖ)をパチンコ機１０の各種電気部品へ供給される電圧(例えば、ＤＣ３０Ｖ等)に変換処理する電源回路(電源手段)７９が設けられている。電源スイッチ７８は、第１電源ラインＬ１および第２電源ラインＬ２を介して電源回路７９に接続されており、該電源スイッチ７８のＯＮ操作によって外部電源からの電源電圧が電源回路７９に供給されるよう構成される。前記電源回路７９には、各制御基板６０,６５,７０,７５が接続されており、該電源回路７９は、外部電源から供給される電源電圧を各制御基板６０,６５,７０,７５に対応する供給すベき所定の電圧に変換処理し、変換後の電圧を対応する制御基板６０,６５,７０,７５に供給するよう構成される。なお、電源回路７９から各制御基板６０,６５,７０,７５に供給された電圧が、各制御基板６０,６５,７０,７５に配線接続される各種の電気機器に供給される。実施例１では、電源回路７９に接続する制御基板６０,６５,７０,７５および該制御基板６０,６５,７０,７５に配線接続される電気機器を総称して電気部品と指称する。
【００３９】
(過電圧保護回路８０について)
前記電源基板７７には、前記電源回路７９と電源スイッチ７８との間に接続する過電圧保護回路(保護回路)８０が設けられている。この過電圧保護回路８０は、パチンコ機１０が備える電気部品が損傷するおそれのある過電圧が印加されたときに、該過電圧を検知して過電圧が電源回路７９に供給されるのを遮断するものである。実施例１では、電源回路７９と電源スイッチ７８との間にヒューズＦが接続されており、該ヒューズＦと電源回路７９との間に前記過電圧保護回路８０が接続されている。すなわち、ヒューズＦは、電源スイッチ７８と過電圧保護回路８０と間に接続されて、外部電源からの電源電圧は、ヒューズＦを介して過電圧保護回路８０に供給(印加)される。
【００４０】
ここで、実施例１のパチンコ機１０では、電気部品の定格電圧としてＡＣ４０Ｖが設定される一方で、電源基板７７における定格電圧としてＡＣ１２５Ｖが設定されている。そして、前記ヒューズＦは、該ヒューズＦに設定される定格電圧以上の電圧が印加されて所定時間に亘って対応する値の電流が流れることで溶断して電源回路７９を外部電源から切り離す保護素子であって、実施例１のヒューズＦの定格電圧はＡＣ１２５Ｖに設定される。具体的には、ヒューズＦに電源基板７７の定格電圧であるＡＣ１２５Ｖ以上の電圧が印加されて、該ヒューズＦに１５Ａ以上の電流が流れることで溶断するよう設定されている。すなわち、実施例１では、ヒューズＦおよび過電圧保護回路８０によって、電源回路７９(電気部品)が二重に保護されている。実施例１の過電圧保護回路８０について、以後第１過電圧保護回路８０と指称する。また、実施例１では、前記電源スイッチ７８が電源入力部であり、該電源スイッチ７８と電源回路７９とが電源ラインＬ１,Ｌ２で接続する出力端子９０,９０が電源出力部であり、第１過電圧保護回路８０は、電源入力部である電源スイッチ７８と、電源出力部である出力端子９０,９０との間に接続されている。言い替えると、第１過電圧保護回路８０は、電源スイッチ７８と制御基板６０,６５,７０,７５等の電気部品との間に接続されている。また、実施例１では、電源基板７７の定格電圧が第２の定格電圧(ＡＣ１２５Ｖ)であって、該第２の定格電圧がヒューズＦに印加されることで該ヒューズＦが溶断に至るようになっている。なお、前記電気部品、電源基板７７およびヒューズＦに設定される各定格電圧の具体的な数値は一例であって、任意に設定することができる。
【００４１】
前記第１過電圧保護回路８０は、当該第１過電圧保護回路８０に印加された電源電圧が所定の電圧(以下、閾値電圧という)以上であるか否かを判定する。この閾値電圧は、各種電気部品が故障しない電圧値(電気部品の定格電圧より低い値であって、具体的にはＡＣ３２Ｖ)に設定されている。また、閾値電圧は、前記ヒューズＦが溶断する第２の定格電圧(以後、溶断電圧という場合があり、具体的には前記ＡＣ１２５Ｖ)より低く、ヒューズＦが溶断する前に第１過電圧保護回路８０によって過電圧が電源回路７９に供給されるのを遮断するよう構成されている。ここで、電源回路７９に閾値電圧以上の電源電圧が供給されるのは、差込みプラグを、例えばＡＣ１００Ｖの外部電源に誤って接続した状態で、前記電源スイッチ７８をＯＮ操作してしまった場合が挙げられる。
【００４２】
次に、図４を参照して第１過電圧保護回路８０の具体的構成について説明する。前記電源スイッチ７８と電源回路７９とを接続する第１電源ラインＬ１に、前記ヒューズＦと直列にリレー接点８１が直列に接続されている。このリレー接点８１は、第１過電圧保護回路８０が備えるリレーコイル８２の非通電、通電に応じて第１電源ラインＬ１を開閉する接点であって、前記電源スイッチ７８がＡＣ２４Ｖの外部電源に接続された状態では、第１過電圧保護回路８０の機能によるリレーコイル８２の通電によって第１電源ラインＬ１を閉状態として前記閾値電圧より低い電圧が電源回路７９に供給されるのを許容し、電源スイッチ７８が閾値電圧より高い外部電源(ＡＣ１００Ｖ)に接続された状態では、第１過電圧保護回路８０の機能によるリレーコイル８２の非通電によって第１電源ラインＬ１を開状態として過電圧が電源回路７９に供給されるのを阻止するよう構成される。
【００４３】
図４に示す如く、前記第１電源ラインＬ１におけるヒューズＦとリレー接点８１との間の接続点ａと、電源スイッチ７８および電源回路７９を接続する第２電源ラインＬ２との接続点ｂとの間に、第１ダイオードＤ１および第２ダイオードＤ２が直列に接続されている。第１ダイオードＤ１および第２ダイオードＤ２は、アノード同士が接続されて、両ダイオードＤ１,Ｄ２のカソード側からアノード側への電流の逆流を防止している。また、前記接続点ａと接続点ｂとの間に、第１ダイオードＤ１および第２ダイオードＤ２と並列に第３ダイオードＤ３および第４ダイオードＤ４が接続されている。第３ダイオードＤ３および第４ダイオードＤ４はカソード同士が接続されて、両ダイオードＤ３,Ｄ４のカソード側からアノード側への電流の逆流を防止している。前記第３ダイオードＤ３と第４ダイオードＤ４との間の接続点ｃが、第１抵抗Ｒ１および第２抵抗Ｒ２を介して電圧監視回路８３の入力端子Ｖｉｎに接続されている。この電圧監視回路８３は、入力端子Ｖｉｎに前記閾値電圧未満の電圧が印加された状態では、出力端子Ｖｏｕｔはグランド電位となって該出力端子Ｖｏｕｔからは電圧は出力されず、入力端子Ｖｉｎに閾値電圧以上の電圧が印加された場合に、出力端子Ｖｏｕｔから入力端子Ｖｉｎに印加された電圧(閾値電圧以上の電圧)がそのまま出力されるよう構成される。そして、実施例１では、電圧監視回路８３の入力端子Ｖｉｎに閾値電圧以上の電圧が印加された場合(出力端子Ｖｏｕｔから閾値電圧以上の電圧が出力された場合)に、前記リレーコイル８２が非通電となってリレー接点８１を開状態として、過電圧が電源回路７９に供給されるのを遮断するよう構成されている。
【００４４】
前記電圧監視回路８３の出力端子Ｖｏｕｔが、スイッチング素子としての第１トランジスタＦＥＴ１のゲートに接続されている。また、前記第１抵抗Ｒ１および第２抵抗Ｒ２の間の接続点ｄと、スイッチング素子としての第２トランジスタＦＥＴ２のゲートとが第３抵抗Ｒ３を介して接続されると共に、第１トランジスタＦＥＴ１のドレインが、第４抵抗Ｒ４を介して第２トランジスタＦＥＴ２のゲートに接続されている。第１および第２トランジスタＦＥＴ１,ＦＥＴ２として、電界効果型トランジスタが用いられている。第１および第２トランジスタＦＥＴ１,ＦＥＴ２は、ゲートに電圧が印加されていない状態でドレインとソースとが非導通となって電流が流れず、ゲートに電圧が印加された状態でドレインとソースとが導通して電流が流れるよう構成されており、該ドレインとソースとが導通した状態をＯＮ状態、ドレインとソースとが導通していない状態をＯＦＦ状態と指称する場合がある。また、第１および第２トランジスタＦＥＴ１,ＦＥＴ２を介して電流が流れる状態をＯＮ状態、第１および第２トランジスタＦＥＴ１,ＦＥＴ２を介して電流が流れない状態をＯＦＦ状態という場合もある。
【００４５】
前記接続点ｄおよび第３抵抗Ｒ３の間の接続点ｅと、第２トランジスタＦＥＴ２のドレインとの間に、第５抵抗Ｒ５に直列に接続された前記リレーコイル８２が接続されている。また、接続点ｅと第２トランジスタＦＥＴ２のドレインとの間に、リレーコイル８２と並列に第１ツェナーダイオードＺＤ１が接続されている。第１ツェナーダイオードＺＤ１は、アノードが第２トランジスタＦＥＴ２のドレインに接続されると共に、カソードが第５抵抗Ｒ５に接続されている。
【００４６】
前記第２トランジスタＦＥＴ２のソースが、前記第１ダイオードＤ１と第２ダイオードＤ２との間の接続点ｆに、第６抵抗Ｒ６を介して接続されている。また、接続点ｆと第６抵抗Ｒ６との間の接続点ｇと前記接続点ｄとの間に、第１コンデンサＣ１が接続されている。また、前記第２抵抗Ｒ２と電圧監視回路８３の入力端子Ｖｉｎとの間のラインと、接続点ｇと第６抵抗Ｒ６との間のラインに、前記第１コンデンサＣ１と並列の関係で第７抵抗Ｒ７、第２ツェナーダイオードＺＤ２および第２コンデンサＣ２が接続されている。なお、第２ツェナーダイオードＺＤ２は、アノードが第６抵抗Ｒ６に接続されると共にカソードが電圧監視回路８３の入力端子Ｖｉｎに接続されている。また、電圧監視回路８３のグランド端子ＧＮＤが、第２コンデンサＣ２と第６抵抗Ｒ６との間に接続されている。
【００４７】
前記第１トランジスタＥＦＴ１のソースが、前記接続点ｇと第６抵抗Ｒ６との間の接続点ｈに接続される。また、前記第４抵抗Ｒ４と第２トランジスタＥＦＴ２のゲートとの間のラインと、前記接続点ｈと第６抵抗Ｒ６との間のラインとの間に、第３コンデンサＣ３、第３ツェナーダイオードＺＤ３が、前記第６抵抗Ｒ６と並列に接続されている。なお、第３ツェナーダイオードＺＤ３は、アノードが第６抵抗Ｒ６に接続されると共にカソードが第２トランジスタＥＦＴ２のゲートに接続されている。また、電圧監視回路８３の出力端子Ｖｏｕｔと第１トランジスタＥＦＴ１のゲートとの間のラインと、前記接続点ｇと接続点ｈとの間のラインに、第４コンデンサＣ４が接続されている。そして、第４コンデンサＣ４における接続点ｇと接続点ｈとの間のライン側に、電圧監視回路８３のサブ端子ＳＵＢが接続されている。
【００４８】
前記電圧監視回路８３の出力端子Ｖｏｕｔと第１トランジスタＥＦＴ１のゲートとの間の接続点ｉと、前記接続点ｇおよび接続点ｈの間の接続点ｊとの間に、第８抵抗Ｒ８と報知手段としての第１発光ダイオードＬＥＤ１とが直列に接続されている。この第１発光ダイオードＬＥＤ１は、電圧監視回路８３の出力端子Ｖｏｕｔから閾値電圧以上の電圧が出力された場合に点灯するよう構成されて、第１過電圧保護回路８０に閾値電圧より高い過電圧が印加されたこと(差込みプラグが閾値電圧より高い外部電源に接続されていること)を報知し得るようになっている。具体的に、実施例１では、第１発光ダイオードＬＥＤ１は、閾値電圧(ＡＣ３２Ｖ)より高く、前記第２の定格電圧(ＡＣ１２０Ｖ)より低い特定電圧(例えば、ＡＣ１００Ｖ)が印加されることで点灯するように設定されている。
【００４９】
ここで、前記第１過電圧保護回路８０を構成するダイオードＤ１〜Ｄ４、ツェナーダイオードＺＤ１〜ＺＤ３、抵抗Ｒ１〜Ｒ８、コンデンサＣ１〜Ｃ４の各素子の特性(降伏電圧、抵抗値、容量等)は、電圧監視回路８３に印加される電源電圧が閾値電圧未満の場合には、前記第２トランジスタＥＦＴ２のゲートに、該第２トランジスタＥＦＴ２をＯＮ状態とするゲート電圧が印加され、電圧監視回路８３に印加される電源電圧が閾値電圧以上の場合には、前記第１トランジスタＥＦＴ１のゲートに閾値電圧が印加されて該第１トランジスタＥＦＴ１がＯＮ状態となることで第２トランジスタＥＦＴ２のゲートに電圧が印加されなくなるよう設定されている。すなわち、第１過電圧保護回路８０は、電圧監視回路８３に印加される電源電圧が閾値電圧未満の場合には、リレー接点８１を閉状態として電源電圧の電源回路７９(電気部品)への供給を許容し、電圧監視回路８３に印加される電源電圧が閾値電圧以上の場合には、リレー接点８１を開状態として電源電圧の電源回路７９(電気部品)への供給を遮断するように、各素子の特性が設定されている。また、実施例１では、電圧監視回路８３、第１および第２トランジスタＥＦＴ１,ＥＦＴ２、リレー接点８１、リレーコイル８２から、電源入力部と電源出力部(電気部品)との間を導通状態および非導通状態に切り替える保護手段が構成される。
【００５０】
(実施例１の作用)
次に、実施例１に係るパチンコ機１０の作用について説明する。
【００５１】
(パチンコ機１０が閾値電圧未満の外部電源に接続された場合)
パチンコ機１０がＡＣ２４Ｖの外部電源に接続された状態で、前記電源スイッチ７８をＯＮ操作すると、ヒューズＦ、第３ダイオードＤ３、第１抵抗Ｒ１、第３抵抗Ｒ３を介して第２トランジスタＥＦＴ２のゲートに電圧が印加され、該第２トランジスタＥＦＴ２がＯＮ状態となることで、前記リレーコイル８２に通電されてリレー接点８１が閉状態となり、電源ラインＬ１,Ｌ２を介して電源回路７９にＡＣ２４Ｖの電源電圧が供給される。また、ヒューズＦ、第３ダイオードＤ３、第１抵抗Ｒ１および第２抵抗Ｒ２を介して前記電圧監視回路８３の入力端子Ｖｉｎに電圧が印加される。このとき、電圧監視回路８３の入力端子Ｖｉｎに印加さける電圧は前記閾値電圧未満であるので、出力端子Ｖｏｕｔからは電圧は出力されず、前記第１トランジスタＥＦＴ１のゲートには電圧は印加されない。すなわち、第１トランジスタＥＦＴ１はＯＦＦ状態を維持する。これにより、ＯＮ状態の第２トランジスタＥＦＴ２によってリレーコイル８２は通電状態を維持し、電源回路７９に閾値電圧未満の電圧(ＡＣ２４Ｖ)が供給される。また、電圧監視回路８３の出力端子Ｖｏｕｔから電圧が出力されないので、前記第１発光ダイオードＬＥＤ１に電流は流れず、該第１発光ダイオードＬＥＤ１は点灯しない。
【００５２】
(パチンコ機１０が閾値電圧より高い外部電源に接続された場合)
次に、パチンコ機１０が、閾値電圧より高い例えばＡＣ１００Ｖの外部電源に誤って接続された場合について説明する。パチンコ機１０がＡＣ１００Ｖの外部電源に接続された状態で、前記電源スイッチ７８をＯＮ操作すると、ヒューズＦ、第３ダイオードＤ３、第１抵抗Ｒ１および第２抵抗Ｒ２を介して電圧監視回路８３の入力端子Ｖｉｎに電圧が印加される。電圧監視回路８３の入力端子Ｖｉｎに印加される電圧が閾値電圧に達すると、出力端子Ｖｏｕｔから閾値電圧が出力される。すなわち、前記第１トランジスタＥＦＴ１のゲートに閾値電圧が印加されることで、該第１トランジスタＥＦＴ１はＯＮ状態となってドレイン−ソース間が導通状態となる。これにより、ヒューズＦ、第３ダイオードＤ３、第１抵抗Ｒ１および第３抵抗Ｒ３を流れる電流が第４抵抗Ｒ４を介して第１トランジスタＥＦＴ１に流れるようになり、第２トランジスタＥＦＴ２のゲートに電圧が印加されなくなる。従って、前記リレーコイル８２が非通電となってリレー接点８１が開状態となり、電源回路７９(電気部品)への電源電圧の供給は遮断される。また、電圧監視回路８３の出力端子Ｖｏｕｔから出力される電圧が特定電圧に達すると、前記第１発光ダイオードＬＥＤ１に通電され、該第１発光ダイオードＬＥＤ１の点灯によって、電圧監視回路８３に特定電圧が印加されたこと、すなわちパチンコ機１０が閾値電圧より高い外部電源に接続されたことが報知される。
【００５３】
実施例１のパチンコ機１０では、第１過電圧保護回路８０を備えることで、電源回路７９に過大な電源電圧が印加されるのを防止することができる。すなわち、電圧監視回路８３に印加される電圧が閾値電圧以上となった場合には電源スイッチ７８と電源回路７９との間が非導通状態となるので、閾値電圧より高い電源に電源基板７７を接続してしまった場合においても、電気部品に異常電圧が供給されて破損してしまうのを防止することができる。また、実施例１では、前記閾値電圧をヒューズＦの溶断電圧より低く設定しているので、ヒューズＦに溶断電圧が印加されて該ヒューズＦが溶断されてしまうことはない。すなわち、閾値電圧より高い外部電源に接続した状態で電源スイッチ７８をＯＮ操作してしまった場合においても、差込みプラグを閾値電圧より低い外部電源に接続し直すだけで、直ちに正常な動作状態に復帰することができる。言い替えると、ヒューズＦを交換したり、電源回路７９および該電源回路７９から電圧が供給される各種電気部品の点検のための時間を省くことができ、正常な動作状態に短時間で復帰させ得る。また、過電圧が印加される毎にヒューズＦの交換を必要としないので、コストを低廉に抑えることができる。
【００５４】
また、実施例１のパチンコ機１０では、電源スイッチ７８と第１過電圧保護回路８０との間に、二重の安全対策としてヒューズＦを設けているので、第１過電圧保護回路８０を構成する電圧監視回路８３等が故障したとしても、電源回路７９に電気部品が故障等するような過電圧が長時間に亘って供給されるのを防ぐことができ、安全性に優れている。
そして、電圧監視回路８３に閾値電圧が印加されたことによって電源回路７９に電圧が供給されなくなったこと(パチンコ機１０が閾値電圧より高い外部電源に接続されたこと)を第１発光ダイオードＬＥＤ１の点灯によって報知するので、異常事態に早期に対応できる。
【００５５】
ここで、実施例１のパチンコ機１０では、前記電源スイッチ７８と第１過電圧保護回路８０との間に、二重の安全対策としてヒューズＦを接続するようにしたが、第１過電圧保護回路８０を備えることで、ヒューズＦを省略しても電源回路７９(電気部品)に過電圧が供給されるのを未然に防止することができる。従って、ヒューズＦを省略する構成とすれば、回路構成を簡略化してコストを低減することが可能となる。
【実施例２】
【００５６】
次に、実施例２のパチンコ機について説明する。なお、実施例２のパチンコ機については、前述した実施例１のパチンコ機１０と異なる部分についてのみ説明し、既出の同一または同種の部材には同じ符号を付すものとする。
【００５７】
実施例１のパチンコ機１０では、第１過電圧保護回路８０に１つの電圧監視回路８３を設けたが、実施例２では過電圧保護回路８４に２つの電圧監視回路８５,８６を設けている。なお、実施例２の過電圧保護回路８４について第２過電圧保護回路８４と指称すると共に、２つの電圧監視回路８５,８６については第１電圧監視回路８５および第２電圧監視回路８６と指称するものとする。
【００５８】
(第２過電圧保護回路８４について)
前記電源基板７７に設けられる第２過電圧保護回路(保護回路)８４は、実施例１と同様に、ヒューズＦと電源回路７９(電気部品)との間に接続される。第２過電圧保護回路８４では、第１電圧監視回路８５によって、当該第２過電圧保護回路８４に印加された電源電圧がパチンコ機が正常に動作可能な電圧(以下、第１閾値電圧という)以上であるか否かを判定し、第２電圧監視回路８６によって、当該第２過電圧保護回路８４に印加された電源電圧が所定の電圧(以下、第２閾値電圧という)以上であるか否かを判定する。前記第１閾値電圧は、電源回路７９によって各電気部品が正常に動作可能な電圧値(例えばＡＣ１２.４５Ｖ／ＤＣ１６.１Ｖ)に設定され、第２閾値電圧は、電源回路７９や各種電気部品が故障しない電圧値(例えばＡＣ２９.４６Ｖ／ＤＣ４０.２５Ｖ)に設定されている。また、第２閾値電圧は、前記ヒューズＦが溶断するに至る溶断電圧(ＡＣ１２５Ｖ、第２の定格電圧)より低く、ヒューズＦが溶断する前に第２過電圧保護回路８４によって過電圧が電源回路７９に供給されるのを遮断するよう構成されている。なお、実施例２においても、前記電源スイッチ７８が電源入力部であり、該電源スイッチ７８と電源回路７９とが電源ラインＬ１,Ｌ２で接続する出力端子９０,９０が電源出力部であり、第２過電圧保護回路８４は、電源入力部である電源スイッチ７８と、電源出力部である出力端子９０,９０との間に接続されている。言い替えると、第２過電圧保護回路８４は、電源スイッチ７８と制御基板６０,６５,７０,７５等の電気部品との間に接続されている。
【００５９】
次に、図５を参照して第２過電圧保護回路８４の具体的構成について説明する。前記電源スイッチ７８と電源回路７９とを接続する第１電源ラインＬ１に、前記ヒューズＦと直列にリレー接点８１が直列に接続されている。リレー接点８１は、第２過電圧保護回路８４が備えるリレーコイル８２によって第１電源ラインＬ１を開閉する接点であって、前記電源スイッチ７８がＡＣ２４Ｖの外部電源に接続された状態では第２過電圧保護回路８４の機能によるリレーコイル８２の通電によって第１電源ラインＬ１を閉状態として第１閾値電圧と第２閾値電圧との間の値の電圧(以後、正常電圧という場合がある)が電源回路７９(電気部品)に供給されるのを許容し、電源スイッチ７８が第２閾値電圧(正常電圧)より高い外部電源に接続された状態では第２過電圧保護回路８４の機能によるリレーコイル８２の非通電によって第１電源ラインＬ１を開状態として過電圧が電源回路７９(電気部品)に供給されるのを阻止するよう構成される。
【００６０】
前記第１電源ラインＬ１におけるヒューズＦとリレー接点８１との間の接続点２ａと、電源スイッチ７８と電源回路７９とを接続する電源ラインＬ２との接続点２ｂとの間に、第１０ダイオードＤ１０および第１１ダイオードＤ１１が直列に接続されている。第１０ダイオードＤ１０および第１１ダイオードＤ１１は、アノード同士が接続されて、両ダイオードＤ１０,Ｄ１１のカソード側からアノード側への電流の逆流を防止している。また、前記接続点２ａと接続点２ｂとの間に、第１０ダイオードＤ１０および第１１ダイオードＤ１１と並列に第１２ダイオードＤ１２および第１３ダイオードＤ１３が接続されている。この第１２ダイオードＤ１２および第１３ダイオードＤ１３は、カソード同士が接続されて、両ダイオードＤ１２,Ｄ１３のカソード側からアノード側への電流の逆流を防止している。なお、第１０ダイオードＤ１０と第１１ダイオードＤ１１との間のラインは接地されている。
【００６１】
前記第１２ダイオードＤ１２および第１３ダイオードＤ１３の間の接続点２ｃと、後述する第４トランジスタＥＦＴ４のドレインとの間に、第１０抵抗Ｒ１０、第１１抵抗Ｒ１１、リレーコイル８２および第１２抵抗Ｒ１２が直列に接続される。また、第１１抵抗Ｒ１１と第１２抵抗Ｒ１２との間に、第１０ツェナーダイオードＺＤ１０がリレーコイル８２と並列に接続される。この第１０ツェナーダイオードＺＤ１０は、アノードが第１２抵抗Ｒ１２に接続されると共にカソードが第１１抵抗Ｒ１１に接続されている。また、第１０抵抗Ｒ１０と第１１抵抗Ｒ１１との間の接続点２ｄに、正極の電源が接続されている。なお、第１０抵抗Ｒ１０と接続点２ｄとの間が、第１０コンデンサＣ１０を介して接地されている。
【００６２】
前記第１電圧監視回路８５の入力端子Ｖｉｎおよび第２電圧監視回路８６の入力端子Ｖｉｎに、第１３抵抗Ｒ１３を介して正極の電源が接続されている。第１電圧監視回路８５は、入力端子Ｖｉｎに前記第１閾値電圧(ＡＣ１２.４５Ｖ／ＤＣ１６.１Ｖ)未満の電圧が印加された状態では、出力端子Ｖｏｕｔはグランド電位となって該出力端子Ｖｏｕｔからは電圧は出力されず、入力端子Ｖｉｎに第１閾値電圧以上の電圧が印加された状態では、出力端子Ｖｏｕｔから入力端子Ｖｉｎに印加された電圧(第１閾値電圧以上の電圧)がそのまま出力されるよう構成される。そして、実施例２では、第１電圧監視回路８５の入力端子Ｖｉｎに第１閾値電圧以上の電圧が印加された場合(出力端子Ｖｏｕｔから第１閾値電圧以上の電圧が出力された場合)に、前記リレーコイル８２に通電してリレー接点８１を閉状態とするよう構成されている。また、第２電圧監視回路８６は、入力端子Ｖｉｎに前記第２閾値電圧(ＡＣ２９.４６Ｖ／ＤＣ４０.２５Ｖ)未満の電圧が印加された状態では、出力端子Ｖｏｕｔはグランド電位となって該出力端子Ｖｏｕｔからは電圧は出力されず、入力端子Ｖｉｎに第２閾値電圧以上の電圧が印加された状態では、出力端子Ｖｏｕｔから入力端子Ｖｉｎに印加された電圧(第２閾値電圧以上の電圧)がそのまま出力されるよう構成される。そして、実施例２では、第２電圧監視回路８６の入力端子Ｖｉｎに第２閾値電圧以上の電圧が印加された場合(出力端子Ｖｏｕｔから第２閾値電圧以上の電圧が出力された場合)に、前記リレーコイル８２が非通電となってリレー接点８１を開状態とするよう構成されている。すなわち、実施例２のパチンコ機では、第１および第２電圧監視回路８５,８６に、第１閾値電圧と第２閾値電圧との間の正常電圧が印加されている場合に、リレー接点８１が閉状態となって電源回路７９への電源電圧の供給を許容し、第１および第２電圧監視回路８５,８６に印加される電圧が第２閾値電圧以上となった場合に、リレー接点８１が開状態となって電源回路７９への電源電圧の供給を遮断するようになっている。前記正常電圧は、パチンコ機の電気部品が正常に動作可能な電源電圧を電源回路７９が生成可能な範囲の電圧である。
【００６３】
前記第１３抵抗Ｒ１３は、第１４抵抗Ｒ１４を介して接地されている。また、第１３抵抗Ｒ１３に、第１４抵抗Ｒ１４と並列に第１１ツェナーダイオードＺＤ１１および第１１コンデンサＣ１１が接続されると共に、該第１１ツェナーダイオードＺＤ１１および第１１コンデンサＣ１１は接地されている。なお、第１１ツェナーダイオードＺＤ１１は、カソードが第１３抵抗Ｒ１３に接続されると共に、アノードが接地されている。また、第１および第２電圧監視回路８５,８６のグランド端子ＧＮＤ,ＧＮＤは、夫々接地されている。
【００６４】
前記第１電圧監視回路８５の出力端子Ｖｏｕｔが、スイッチング素子としての第３トランジスタＥＦＴ３のソースに接続されている。この第３トランジスタＥＦＴ３のドレインが、第１４ダイオードＤ１４および第１２ツェナーダイオードＺＤ１２を介して第４トランジスタＥＦＴ４のゲートに接続されている。なお、第３トランジスタＥＦＴ３のドレインが第１４ダイオードＤ１４のカソードに接続され、該第１４ダイオードＤ１４のアノードが第１２ツェナーダイオードＺＤ１２のカソードに接続され、該第１２ツェナーダイオードＺＤ１２のアノードがスイッチング素子としての第４トランジスタＥＦＴ４のゲートに接続されている。第３および第４トランジスタＦＥＴ３,ＦＥＴ４として、電界効果型トランジスタが用いられている。第３および第４トランジスタＦＥＴ３,ＦＥＴ４は、ゲートに電圧が印加されていない状態でドレインとソースとが非導通となって電流が流れず、ゲートに電圧が印加された状態でドレインとソースとが導通して電流が流れるよう構成されており、該ドレインとソースとが導通した状態をＯＮ状態、ドレインとソースとが導通していない状態をＯＦＦ状態と指称する場合がある。
【００６５】
前記第３トランジスタＦＥＴ３のゲートは、第１４ダイオードＤ１４と第１２ツェナーダイオードＺＤ１２との間の接続点２ｅに、第１５抵抗Ｒ１５および第１６抵抗Ｒ１６を介して接続されている。また、第３トランジスタＦＥＴ３のゲートには、並列に接続された第１３ツェナーダイオードＺＤ１３と第１２コンデンサＣ１２とが接続されると共に、該第１３ツェナーダイオードＺＤ１３および第１２コンデンサＣ１２は接地されている。なお、第１３ツェナーダイオードＺＤ１３は、カソードが第３トランジスタＦＥＴ３のゲートおよび第１５抵抗Ｒ１５に接続されると共に、アノードが接地されている。また、前記接続点２ｅと第１２ツェナーダイオードＺＤ１２との間のラインが、第１３コンデンサＣ１３を介して接地されると共に、第１２ツェナーダイオードＺＤ１２と第４トランジスタＦＥＴ４のゲートとの間のラインが、第１７抵抗Ｒ１７を介して接地されている。
【００６６】
前記第１５抵抗Ｒ１５と第１６抵抗Ｒ１６との間の接続点２ｆと前記接続点２ｄとが、第１４ツェナーダイオードＺＤ１４を介して接続されている。この第１４ツェナーダイオードＺＤ１４は、アノードが接続点２ｆに接続されると共に、カソードが接続点２ｄに接続されている。また、第１４ツェナーダイオードＺＤ１４と接続点２ｆとの間の接続点２ｇと、前記第１電圧監視回路８５の出力端子Ｖｏｕｔと第３トランジスタＦＥＴ３のソースとの間の接続点２ｈとが、第１８抵抗Ｒ１８を介して接続されている。なお、接続点２ｈは、第１４コンデンサＣ１４を介して接地されている。また、接続点２ｈと第３トランジスタＦＥＴ３のソースとの間のラインに、第１５ツェナーダイオードＺＤ１５が第１４コンデンサＣ１４と並列に接続されている。この第１５ツェナーダイオードＺＤ１５は、接続点２ｈと第３トランジスタＦＥＴ３のソースとの間のラインにカソードが接続されると共に、アノードが接地されている。
【００６７】
前記第２電圧監視回路８６の出力端子Ｖｏｕｔが、スイッチング素子としての第５トランジスタＦＥＴ５のゲートに第１５ダイオードＤ１５を介して接続されている。この第１５ダイオードＤ１５は、アノードが第２電圧監視回路８６の出力端子Ｖｏｕｔに接続されると共に、カソードが第５トランジスタＦＥＴ５のゲートに接続されている。また、第２電圧監視回路８６の出力端子Ｖｏｕｔと第１５ダイオードＤ１５との間の接続点２ｉと、第１５ダイオードＤ１５と第５トランジスタＦＥＴ５のゲートとの間の接続点２ｊとの間に、第１９抵抗Ｒ１９が第１５ダイオードＤ１５と並列に接続されている。そして、接続点２ｉが、前記接続点２ｇと第１８抵抗Ｒ１８との間の接続点２ｋに第２０抵抗Ｒ２０を介して接続されている。
【００６８】
前記第５トランジスタＦＥＴ５のドレインと前記接続点２ｆとの間に、第２１抵抗Ｒ２１と報知手段としての第２発光ダイオードＬＥＤ２とが直列に接続されている。この第２発光ダイオードＬＥＤ２は、第２電圧監視回路８６の出力端子Ｖｏｕｔから第２閾値電圧以上の電圧が出力された場合に点灯するよう構成されて、第２過電圧保護回路８４に正常電圧より高い過電圧が印加されたこと(差込みプラグが正常電圧より高い外部電源に接続されていること)を報知し得るようになっている。具体的に、第２発光ダイオードＬＥＤ２は、第２閾値電圧(ＡＣ２９.４Ｖ)より高く、前記第２の定格電圧(ＡＣ１２５Ｖ)より低い特定電圧(例えば、ＡＣ１００Ｖ)が印加されることで点灯するように設定されている。なお、接続点２ｆと第２発光ダイオードＬＥＤ２との間には、第２２抵抗Ｒ２２が第２１抵抗Ｒ２１と並列に接続されている。また、第５トランジスタＦＥＴ５のソースは接地されている。
【００６９】
前記接続点２ｊと第１９抵抗Ｒ１９との間の接続点２ｌが、スイッチング素子としての第６トランジスタＦＥＴ６のゲートに接続されている。この第６トランジスタＦＥＴ６のドレインは、前記接続点２ｅに接続されると共に、ソースは接地されている。また、前記接続点２ｌと第６トランジスタＦＥＴ６のゲートとの間のラインには、第１５コンデンサＣ１５および第１６ツェナーダイオードＺＤ１６が並列に接続されると共に、該第１５コンデンサＣ１５および第１６ツェナーダイオードＺＤ１６は接地されている。なお、第１６ツェナーダイオードＺＤ１６は、カソードが接続点２ｌと第６トランジスタＦＥＴ６のゲートとの間のラインに接続されると共に、アノードが接地されている。前記第５および第６トランジスタＦＥＴ５,ＦＥＴ６として、電界効果型トランジスタが用いられている。第５および第６トランジスタＦＥＴ５,ＦＥＴ６は、ゲートに電圧が印加されていない状態でドレインとソースとが非導通となって電流が流れず、ゲートに電圧が印加された状態でドレインとソースとが導通して電流が流れるよう構成されており、該ドレインとソースとが導通した状態をＯＮ状態、ドレインとソースとが導通していない状態をＯＦＦ状態と指称する場合がある。
【００７０】
ここで、第２過電圧保護回路８４を構成するダイオードＤ１０〜Ｄ１５、ツェナーダイオードＺＤ１０〜ＺＤ１６、抵抗Ｒ１０〜Ｒ２２、コンデンサＣ１０〜Ｃ１５の各素子の特性(降伏電圧、抵抗値、容量等)は、第１および第２電圧監視回路８５,８６に印加される電圧が第１閾値電圧未満の場合には、前記第４トランジスタＥＦＴ４のゲートに、該第４トランジスタＥＦＴ４をＯＮ状態とするゲート電圧が印加されないようにし、第１および第２電圧監視回路８５,８６に印加される電圧が第１閾値電圧と第２閾値電圧との間の場合(正常電圧の場合)には、前記第３トランジスタＥＦＴ１を介して第４トランジスタＥＦＴ４のゲートに、ゲート電圧が印加されて該第４トランジスタＥＦＴ４がＯＮ状態となり、第１および第２電圧監視回路８５,８６に印加される電圧が第２閾値電圧以上となった場合には、第６トランジスタＥＦＴ６のゲートに第２閾値電圧が印加されて該第６トランジスタＥＦＴ６がＯＮ状態となることで第４トランジスタＥＦＴ４のゲートに電圧が印加されなくなるよう設定されている。すなわち、第２過電圧保護回路８４は、第１および第２電圧監視回路８５,８６に印加される電圧が第１閾値電圧未満の場合には、リレー接点８１を開状態に維持して電源電圧の電源回路７９(電気部品)への供給を遮断し、第１および第２電圧監視回路８５,８６に印加される電圧が第１閾値電圧と第２閾値電圧との間の場合には、リレー接点８１を閉状態として電源電圧の電源回路７９(電気部品)への供給を許容し、第１および第２電圧監視回路８５,８６に印加される電圧が第２閾値電圧以上となった場合には、リレー接点８１を開状態として電源電圧の電源回路７９(電気部品)への供給を遮断するように、各素子の特性が設定されている。また、実施例２では、第１電圧監視回路８５、第３および第４トランジスタＥＦＴ３,ＥＦＴ４、リレー接点８１、リレーコイル８２から、電源入力部と電源出力部(電気部品)との間を導通状態および非導通状態に切り替える第１保護手段が構成され、第２電圧監視回路８６、第４トランジスタＥＦＴ４、第６トランジスタＥＦＴ６、リレー接点８１、リレーコイル８２から、電源入力部と電源出力部(電気部品)との間を非導通状態とする第２保護手段が構成される。
【００７１】
(実施例２の作用)
次に、実施例２に係るパチンコ機の作用について説明する。
【００７２】
(パチンコ機が正常電圧の外部電源に接続された場合)
パチンコ機１０が正常電圧であるＡＣ２４Ｖの外部電源に接続された状態で、前記電源スイッチ７８をＯＮ操作すると、第１３抵抗Ｒ１３を介して電源電圧が第１電圧監視回路８５の入力端子Ｖｉｎに印加される。電源電圧が第１電圧監視回路８５の第１閾値電圧(ＡＣ１２.４５Ｖ)未満の場合、該第１電圧監視回路８５の出力端子Ｖｏｕｔからは電圧は出力されず、第３トランジスタＥＦＴ３はＯＦＦ状態であり、第４トランジスタＥＦＴ４のゲートに電圧が印加されないので、該第４トランジスタＥＦＴ４はＯＦＦ状態を維持し、前記リレーコイル８２には通電されず、前記リレー接点８１は開状態を維持する。従って、電源電圧は電源回路７９へは供給されない。また、第１３抵抗Ｒ１３を介して電源電圧が第２電圧監視回路８６の入力端子Ｖｉｎに印加されるが、該第２電圧監視回路８６の第２閾値電圧は前記ＡＣ２９.５６Ｖに設定されているので、第２電圧監視回路８６の出力端子Ｖｏｕｔからは電圧は出力されず、第５トランジスタＥＦＴ５および第６トランジスタＥＦＴ６のゲートには電圧が印加されず、両トランジスタＥＦＴ５,ＥＦＴ６はＯＦＦ状態を維持する。また、第３トランジスタＥＦＴ３および第５トランジスタＥＦＴ５は何れもＯＦＦ状態であるので、前記第２発光ダイオードＬＥＤ２に電流は流れず、該第２発光ダイオードＬＥＤ２は点灯しない。
【００７３】
前記第１電圧監視回路８５の入力端子Ｖｉｎに印加される電圧が、前記第１閾値電圧に達すると、該第１電圧監視回路８５の出力端子Ｖｏｕｔからは、入力端子Ｖｉｎに印加された電圧が出力される。これにより、前記第３トランジスタＥＦＴ３のソースに電圧が印加されて該第３トランジスタＥＦＴ３がＯＮ状態となり、ソースに印加された電圧はゲートに接続する第１５抵抗Ｒ１５、第１６抵抗Ｒ１６および第１２ツェナーダイオードＺＤ１２を介して第４トランジスタＥＦＴ４のゲートに印加される。これにより、該第４トランジスタＥＦＴ４はＯＮ状態となり、前記リレーコイル８２に通電されて、前記リレー接点８１が閉状態となり、電源ラインＬ１,Ｌ２を介して電源回路７９にＡＣ２４Ｖの電源電圧が供給される。このとき、前記第２電圧監視回路８６の入力端子Ｖｉｎにも第１閾値電圧の電圧が印加されるが、該第２電圧監視回路８６に設定されている第２閾値電圧未満の場合は、第２電圧監視回路８６の出力端子Ｖｏｕｔからは電圧は出力されず、前述したように第５および第６トランジスタＥＦＴ５,ＥＦＴ６はＯＦＦ状態を維持する。また、第５トランジスタＥＦＴ５はＯＦＦ状態を維持しているので、前記第２発光ダイオードＬＥＤ２に電流は流れず、該第２発光ダイオードＬＥＤ２は点灯しない。
【００７４】
すなわち、差込みプラグが正常電圧(第２閾値電圧未満)であるＡＣ２４Ｖの外部電源に接続されていれば、第１電圧監視回路８５によって、パチンコ機の電気部品が正常に動作可能な電源電圧を電源回路７９が生成可能な正常範囲の電圧が電源回路７９に供給される。従って、電気部品は正常に動作可能となる。言い替えると、電源回路７９が各電気部品を正常に動作可能な電源電圧を生成し得る電圧となるまでは、外部電源から電源回路７９への電源電圧の供給を規制することで、電気部品の正常な動作を保証することができる。
【００７５】
(パチンコ機が正常電圧(第２閾値電圧)より高い外部電源に接続された場合)
次に、パチンコ機が、正常電圧より高い例えばＡＣ１００Ｖの外部電源に誤って接続された場合について説明する。パチンコ機がＡＣ１００Ｖの外部電源に接続された状態で、前記電源スイッチ７８をＯＮ操作すると、前記第１３抵抗Ｒ１３を介して電源電圧が第１および第２電圧監視回路８５,８６の入力端子Ｖｉｎ,Ｖｉｎに印加される。第１電圧監視回路８５の入力端子Ｖｉｎに印加される電圧が第１閾値電圧未満の場合および第１閾値電圧と第２閾値電圧との間である場合の作用は、前述した通りであるので説明を省略する。
【００７６】
前記第２電圧監視回路８６の入力端子Ｖｉｎに印加される電圧が第２閾値電圧となった場合は、出力端子Ｖｏｕｔから第２閾値電圧が出力される。すなわち、前記第５および第６トランジスタＥＦＴ５,ＥＦＴ６のゲートに第２閾値電圧が印加されることで、両トランジスタＥＦＴ５,ＥＦＴ６は何れもＯＮ状態となってドレイン−ソース間が導通状態となる。そして、第６トランジスタＥＦＴ６がＯＮ状態となることで、前記第３トランジスタＥＦＴ３、第１５抵抗Ｒ１５および第１６抵抗Ｒ１６を流れる電流は第６トランジスタＥＦＴ６を介してグランドに流れるようになる。すなわち、第４トランジスタＥＦＴ４のゲートに電圧が印加されなくなり、前記リレーコイル８２が非通電となってリレー接点８１が開状態となり、電源回路７９への電源電圧の供給が遮断される。また、第５トランジスタＥＦＴ５がＯＮ状態となり、第２発光ダイオードＬＥＤ２に印加される電圧が特定電圧に達すると該第２発光ダイオードＬＥＤ２に通電され、該第２発光ダイオードＬＥＤ２の点灯によって、第２電圧監視回路８６に特定電圧が印加されたこと、すなわちパチンコ機１０が正常電圧(第２閾値電圧)より高い外部電源に接続されたことが報知される。
【００７７】
すなわち、実施例２のパチンコ機においても、第２電圧監視回路８６に第２閾値電圧が印加された場合は、瞬時にリレー接点８１が開放して過電圧が電源回路７９に供給されるのは遮断されるから、電源回路７９および該電源回路７９から電圧が供給される電気部品が故障したり破損するのを確実に防ぐことができる。また、実施例２のパチンコ機からは、前記実施例１のパチンコ機１０が奏する作用効果が得られる。
【００７８】
(別実施例について)
次に、別実施例に係る過電圧保護回路９２について、図６を参照して説明する。別実施例の過電圧保護回路９２は、前述した実施例２と同様に２つの電圧監視回路８５,８６を備えるものであって、実施例２の過電圧保護回路８４と異なる部分についてのみ説明し、既出の同一または同種の部材には同じ符号を付すものとする。なお、別実施例の過電圧保護回路９２について、以後第３過電圧保護回路９２と指称するものとする。
【００７９】
前記第１０抵抗Ｒ１０と第１１抵抗Ｒ１１との間の接続点２ｄと第１４ツェナーダイオードＺＤ１４と間に、第３０ダイオードＤ３０が接続されている。この第３０ダイオードＤ３０は、アノードが接続点２ｄに接続されると共にカソードが第１４ツェナーダイオードＺＤ１４に接続されている。第３０ダイオードＤ３０と第１４ツェナーダイオードＺＤ１４との間の接続点３ａに、正極の電源が接続されている。また、接続点３ａは、第３０コンデンサＣ３０を介して接地されている。
【００８０】
前記第１１抵抗Ｒ１１とリレーコイル８２との間の接続点３ｂと第１２抵抗Ｒ１２との間に、リレーコイル８２と並列に第３１コンデンサＣ３１が接続されている。また、前記接続点２ｄと第１２抵抗Ｒ１２との間に、前記第１０ツェナーダイオードＺＤ１４と第３０ツェナーダイオードＺＤ３０とが直列に接続されると共に、両ツェナーダイオードＺＤ１４,ＺＤ３０は、前記第１１抵抗Ｒ１１およびリレーコイル８２に対して並列の関係になっている。
【００８１】
ここで、第３過電圧保護回路９２を構成するダイオードＤ１０〜Ｄ１５，Ｄ３０、ツェナーダイオードＺＤ１０〜ＺＤ１６，ＺＤ３０、抵抗Ｒ１０〜Ｒ２２、コンデンサＣ１０〜Ｃ１５，Ｃ３０，Ｃ３１の各素子の特性(降伏電圧、抵抗値、容量等)は、第１および第２電圧監視回路８５,８６に印加される電圧が第１閾値電圧未満の場合には、前記第４トランジスタＥＦＴ４のゲートに、該第４トランジスタＥＦＴ４をＯＮ状態とするゲート電圧が印加されないようにし、第１および第２電圧監視回路８５,８６に印加される電圧が第１閾値電圧と第２閾値電圧との間の場合(正常電圧の場合)には、前記第３トランジスタＥＦＴ３を介して第４トランジスタＥＦＴ４のゲートに、ゲート電圧が印加されて該第４トランジスタＥＦＴ４がＯＮ状態となり、第１および第２電圧監視回路８５,８６に印加される電圧が第２閾値電圧以上となった場合には、第６トランジスタＥＦＴ６のゲートに第２閾値電圧が印加されて該第６トランジスタＥＦＴ６がＯＮ状態となることで第４トランジスタＥＦＴ４のゲートに電圧が印加されなくなるよう設定されている。すなわち、第３過電圧保護回路９２は、前記第２過電圧保護回路８４と同様に、第１および第２電圧監視回路８５,８６に印加される電圧が第１閾値電圧未満の場合には、リレー接点８１を開状態に維持して電源電圧の電源回路７９(電気部品)への供給を遮断し、第１および第２電圧監視回路８５,８６に印加される電圧が第１閾値電圧と第２閾値電圧との間の場合には、リレー接点８１を閉状態として電源電圧の電源回路７９(電気部品)への供給を許容し、第１および第２電圧監視回路８５,８６に印加される電圧が第２閾値電圧以上となった場合には、リレー接点８１を開状態として電源電圧の電源回路７９(電気部品)への供給を遮断するように、各素子の特性が設定されている。また、別実施例では、第１電圧監視回路８５、第３および第４トランジスタＥＦＴ３,ＥＦＴ４、リレー接点８１、リレーコイル８２から、電源入力部と電源出力部(電気部品)との間を導通状態および非導通状態に切り替える第１保護手段が構成され、第２電圧監視回路８６、第４トランジスタＥＦＴ４、第６トランジスタＥＦＴ６、リレー接点８１、リレーコイル８２から、電源入力部と電源出力部(電気部品)との間を非導通状態とする第２保護手段が構成される。
【００８２】
そして、別実施例の過電圧保護回路９２を備えたパチンコ機からは、前記実施例２の過電圧保護回路８４を備えたパチンコ機が奏する作用効果が得られる。
【００８３】
(変更例)
なお、遊技機としては、前述したものに限らず、種々の変更が可能である。
(１) 各実施例では、スイッチング素子として電界効果型トランジスタを用いた場合で説明したが、該スイッチング素子としては、電圧監視回路に印加される電圧に応じてＯＮ状態とＯＦＦ状態とが切り替えられる各種形式の素子を用いることができる。
(２) 各実施例において挙げた閾値電圧の値は一例であって、各閾値電圧の目的に応じた適正範囲内において任意に設定することができる。
(３) 各実施例では、報知手段として発光ダイオード等の発光手段を挙げたが、ブザー等の音発生手段を採用することができ、電圧監視回路に特定電圧(実施例１では閾値電圧より高く、第２の定格電圧より低い電圧、実施例２では第２閾値電圧より高く、第２の定格電圧より低い電圧)が印加された場合に、音発生手段から報知音を出力するよう構成すればよい。
(４) 各実施例では、電源スイッチ(電源入力部)と電源回路(電源出力部)との間に過電圧保護回路(保護回路)を接続するよう構成したが、電源スイッチ(電源入力部)から制御基板等の電気部品に至るまでの電源供給ラインに過電圧保護回路(保護回路)を設けることができる。
(５) 各実施例では、電源入力部と電源出力部(電気部品)との間を導通状態および非導通状態に切り替える保護手段を、電圧監視回路やスイッチング素子等で構成したが、該保護手段は、電源入力部と電源出力部(電気部品)との間を導通状態および非導通状態に切り替えるものであれば、リレー回路等の各種の手段を用いることができる。
(６) 各実施例では、遊技機としてパチンコ機を例示して説明したが、これに限られるものではなく、アレンジボール機やピンボール機、スロットマシン機等の各種遊技機を採用し得る。
【符号の説明】
【００８４】
６０ メイン制御基板(電気部品)
６５ 演出制御基板(電気部品)
７０ 表示制御基板(電気部品)
７５ 払出制御基板(電気部品)
７７ 電源基板
７８ 電源スイッチ(電源入力部)
８１ リレー接点(第１保護手段、第２保護手段)
８２ リレーコイル(第１保護手段、第２保護手段)
８４ 第２過電圧保護回路(保護回路)
８５ 第１電圧監視回路(第１保護手段)
８６ 第２電圧監視回路(第２保護手段)
ＥＦＴ３ 第３トランジスタ(第１保護手段)
ＥＦＴ４ 第４トランジスタ(第１保護手段,第２保護手段)
ＥＦＴ６ 第６トランジスタ(第２保護手段)
Ｆ ヒューズ
ＬＥＤ２ 第２発光ダイオード(報知手段)
【図１】
0006457437.tif 000002
【図２】
0006457437.tif 000003
【図３】
0006457437.tif 000004
【図４】
0006457437.tif 000005
【図５】
0006457437.tif 000006
【図６】
0006457437.tif 000007